(57)【要約】【課題】色ずれを抑制することができる照明装置を提供する。【解決手段】  複数のＬＥＤ素子１１、導光板１３、及び反射ミラーなどを有している。各ＬＥＤ素子１１は、青色の光を射出するＬＥＤチップ、及び該ＬＥＤチップからの光によって黄色の蛍光を発する蛍光体を有している。そして、導光板１３は、反射面を有し、複数のＬＥＤ素子１１から射出された光線のうち平均色（白色）の光線Ｐが、該反射面で１回反射され、射出面から射出された後、照明領域の中央に到達するような形状とされている。【選択図】図９
2012114878.tif 000002
【特許請求の範囲】
【請求項１】
第１の方向に相対的に移動する対象物の表面を照明する照明装置であって、
前記第１の方向に直交する第２の方向に沿って配置され、第１の色の光を発するＬＥＤチップと該ＬＥＤチップからの光によって前記第１の色とは異なる第２の色の蛍光を発する蛍光体とをそれぞれが含む複数のＬＥＤ素子と；
前記複数のＬＥＤ素子からの複数の光を前記対象物に向けて射出する導光部材と；を備え、
前記複数のＬＥＤ素子から射出され、前記対象物における照明領域の表面で前記第１の色と前記第２の色の平均色となる光線が、前記照明領域の中央に到達することを特徴とする照明装置。
【請求項２】
前記導光部材は反射面を有し、前記照明領域の表面で前記平均色となる光線は、前記反射面で１回反射されて、前記導光部材から射出されることを特徴とする請求項１に記載の照明装置。
【請求項３】
前記導光部材は、平行平板であり、一側の端面に前記複数のＬＥＤ素子からの光が入射し、他側の端面から射出されることを特徴とする請求項１又は２に記載の照明装置。
【請求項４】
前記導光部材は、その光軸と前記ＬＥＤ素子から射出された光線のうち前記平均色となる光線とのなす角度γ、前記導光部材の射出面の法線と該光線とのなす角β、前記導光部材の屈折率ｎ、前記導光部材の射出面から照明領域までの距離Ｌ、前記導光部材の入射面の厚さａ、前記導光部材の光軸方向の長さＣを用いて、
β＝ａｓｉｎ（ｎ×ｓｉｎγ）、及び、Ｃ＝ａ／（２×ｔａｎγ）＋（ａ／２−Ｌ×ｔａｎβ）／ｔａｎγ、の関係が満足されることを特徴とする請求項３に記載の照明装置。
【請求項５】
前記導光部材は、一側の端面での厚さが他側の端面での厚さよりも小さい板状部材であり、前記一側の端面に前記複数のＬＥＤ素子からの光が入射し、前記他側の端面から射出されることを特徴とする請求項１又は２に記載の照明装置。
【請求項６】
前記導光部材は、それぞれの反射面が互いに対向して設けられた２枚の反射ミラーを有することを特徴とする請求項１又は２に記載の照明装置。
【請求項７】
請求項１〜６のいずれか一項に記載の照明装置と；
前記照明装置から射出され原稿で反射された光の光路上に配置された読取光学系と；
前記読取光学系を介した光が入射する撮像素子と；を備える画像読取装置。
【請求項８】
請求項７に記載の画像読取装置と；
該画像読取装置で読み取られた画像情報に基づいて記録媒体上に画像を形成する本体装置と；を備える画像形成装置。
【発明の詳細な説明】
【技術分野】
【０００１】
本発明は、照明装置、画像読取装置及び画像形成装置に係り、更に詳しくは、複数のＬＥＤ素子を有する照明装置、該照明装置を備える画像読取装置、及び該画像読取装置を備える画像形成装置に関する。
【背景技術】
【０００２】
従来、スキャナなどの画像読取装置では、コンタクトガラス上に配置され読取対象物となる原稿の原稿面に向けて光を射出する光源を有し、原稿面で反射された後に読取光軸に沿って進行する読取光をレンズを介してＣＣＤ等の画像読取部に結像し、原稿画像を読み取っている。
【０００３】
このような画像読取装置では、その光源として、蛍光灯やキセノンランプ等の線状光源や、ＬＥＤ等の点状光源を並べたものが使用されている。ＬＥＤ等の点状光源を使用すると、画像読取装置の小型化、及び消費電力の低減を図ることができる。
【０００４】
画像読取装置の光源として用いられる白色ＬＥＤは、青色に発光するＬＥＤチップと、該ＬＥＤチップからの青色光によって黄色に発光する蛍光体とを有しており、青色光の発光位置と黄色光の発光位置とが互いに異なっている。
【０００５】
図１６には、白色ＬＥＤから射出された青色光の照明位置と照度との関係、及び黄色光の照明位置と照度との関係が示されている。照明領域の中央部では、黄色光と青色光の照度比率がほぼ一定であるから白色になるが、周辺部では、青色光の照度比率が下がるため、黄色がかった白色光になってしまう。
【０００６】
図１７には、白色ＬＥＤから射出される光の色が示されている。法線に対し±γの角度の範囲内では青味がかった白色光になり、その周辺の領域は黄色味がかった白色光になる。そこで、対象物に照射された光は、図１８に示されるように、中央部が青味がかった白色光、周辺部が黄色味がかった白色光となり、それらの中間領域は平均色（白色光領域）になる。
【０００７】
図１９（Ａ）には、白色ＬＥＤからの平均色（白色）の光線が、導光部材の＋側の反射面で反射して、射出端の中央を通る場合が示されている。この場合、照明領域の中央は青っぽい白色光になる（図１９（Ｂ）参照）。
【０００８】
図２０（Ａ）には、白色ＬＥＤからの平均色（白色）の光線が、導光部材の−側の反射面で反射して、射出端の中央を通る場合が示されている。この場合も、照明領域の中央は青っぽい白色光になる（図２０（Ｂ）参照）。
【０００９】
図２１には、図１９（Ｂ）と図２０（Ｂ）を合成した場合が示されている。この例では、照明領域は全体的に青側にシフトした色となってしまう。そこで、この場合は、想定よりも青味のつよい読み取りになってしまう。
【００１０】
また、複数個の白色ＬＥＤを一列に並べて照明装置を構成する場合、並びの方向であっても光の重なり具合で、照明光に色ずれが生じることがある。なお、この色ずれとは、白色ＬＥＤからの光の射出角の違いによる色差によって、照明領域の少なくとも一部で色が所望の色（白色）からずれる現象をいう。また、並びの方向に直交する方向にも色ずれが生じる。これらの色ずれがあると、照明色によって読取色が変化してしまうという不都合があった。
【００１１】
また、照明装置の小型化に伴って、光源からの光を対象物に導く導光板では、その光軸方向の寸法が短くなり、光源からの光は、１回の反射で導光板から射出される場合もある。
【００１２】
例えば、特許文献１には、光源と読取ラインとの間に、光源から読取ラインに照射される光を規制するマスク部材を備えた画像読取装置が開示されている。
【００１３】
また、特許文献２には、光源と原稿の読取位置とを結ぶ照明用の光軸中に設けられた板状の透明部材の大きさを規定した原稿照明装置が開示されている。
【００１４】
また、特許文献３には、導光体が、出射面と入光面と複数の反射面とを備え、出射面が凸状に形成され、入光面が光源の照射面に沿って略平行に対向する平面を備えているライン状照明装置が開示されている。
【発明の概要】
【発明が解決しようとする課題】
【００１５】
しかしながら、特許文献１に開示されている画像読取装置では、部品数が増加し、部品費用や組み立て費用が上昇することや、照明光の一部を使わないので光利用効率が悪くなるという不都合があった。
【００１６】
また、特許文献２に開示されている原稿照明装置では、照明領域内で色ずれが生じるという不都合があった。
【００１７】
また、特許文献３に開示されているライン状照明装置では、一方の直接光にＬＥＤ光源の周辺光が用いられるため、黄色味がかった光となり、全体としては黄色味がかった照明光となるという不都合があった。
【００１８】
本発明は、かかる事情の下になされたもので、その第１の目的は、色ずれを抑制することができる照明装置を提供することにある。
【００１９】
また、本発明の第２の目的は、精度良く画像を読み取ることができる画像読取装置を提供することにある。
【００２０】
また、本発明の第３の目的は、高品質の画像を形成することができる画像形成装置を提供することにある。
【課題を解決するための手段】
【００２１】
本発明は、第１の観点からすると、第１の方向に相対的に移動する対象物の表面を照明する照明装置であって、前記第１の方向に直交する第２の方向に沿って配置され、第１の色の光を発するＬＥＤチップと該ＬＥＤチップからの光によって前記第１の色とは異なる第２の色の蛍光を発する蛍光体とをそれぞれが含む複数のＬＥＤ素子と；前記複数のＬＥＤ素子からの複数の光を前記対象物に向けて射出する導光部材と；を備え、前記複数のＬＥＤ素子から射出され、前記対象物における照明領域の表面で前記第１の色と前記第２の色の平均色となる光線が、前記照明領域の中央に到達することを特徴とする照明装置である。
【００２２】
これによれば、色ずれを抑制することができる。
【００２３】
本発明は、第２の観点からすると、本発明の照明装置と；前記照明装置から射出され原稿で反射された光の光路上に配置された読取光学系と；前記読取光学系を介した光が入射する撮像素子と；を備える画像読取装置である。
【００２４】
これによれば、精度良く画像を読み取ることができる。
【００２５】
本発明は、第３の観点からすると、本発明の画像読取装置と；該画像読取装置で読み取られた画像情報に基づいて記録媒体上に画像を形成する本体装置と；を備える画像形成装置である。
【００２６】
これによれば、高品質の画像を形成することができる。
【図面の簡単な説明】
【００２７】
【図１】本発明の一実施形態に係る複合機の概略構成を説明するための図である。
【図２】図１の一部を拡大した図である。
【図３】図１における読取装置を説明するための図（その１）である。
【図４】図１における読取装置を説明するための図（その２）である。
【図５】照明装置を説明するための図である。
【図６】複数のＬＥＤ素子の配列を説明するための図である。
【図７】各ＬＥＤ素子の概略構成を説明するための図である。
【図８】導光板を説明するための図（その１）である。
【図９】図９（Ａ）及び図９（Ｂ）は、それぞれ導光板を説明するための図（その２）である。
【図１０】図１０（Ａ）及び図１０（Ｂ）は、それぞれ導光板を説明するための図（その３）である。
【図１１】照明領域を照射する光の色を説明するための図である。
【図１２】導光板の変形例を説明するための図である。
【図１３】図１３（Ａ）及び図１３（Ｂ）は、それぞれ図１２の導光板の作用を説明するための図である。
【図１４】光反射部材を説明するための図である。
【図１５】図１５（Ａ）及び図１５（Ｂ）は、それぞれ図１４の光反射部材の作用を説明するための図である。
【図１６】従来の不都合点を説明するための図（その１）である。
【図１７】従来の不都合点を説明するための図（その２）である。
【図１８】従来の不都合点を説明するための図（その３）である。
【図１９】図１９（Ａ）及び図１９（Ｂ）は、それぞれ従来の不都合点を説明するための図（その４）である。
【図２０】図２０（Ａ）及び図２０（Ｂ）は、それぞれ従来の不都合点を説明するための図（その５）である。
【図２１】従来の不都合点を説明するための図（その６）である。
【発明を実施するための形態】
【００２８】
以下、本発明の一実施形態を図１〜図１１に基づいて説明する。図１及び図２には、一実施形態に係る画像形成装置としての複合機２０００の概略構成が示されている。なお、図２は、図１の一部を拡大した図である。
【００２９】
この複合機２０００は、複写機、プリンタ、及びイメージスキャナの機能を有し、本体装置１００１、読取装置１００２、及び自動原稿給紙装置１００３などを備えている。
【００３０】
なお、ここでは、ＸＹＺ３次元直交座標系において、複合機２０００が設置されている床面に直交する方向をＺ軸方向として説明する。
【００３１】
本体装置１００１は、４色（ブラック、シアン、マゼンタ、イエロー）を重ね合わせてフルカラーの画像を形成するタンデム方式の多色カラープリンタである。
【００３２】
読取装置１００２は、本体装置１００１の上側（＋Ｚ側）に配置され、原稿を読み取る。ここで読み取られた原稿の画像情報は、本体装置１００１のプリンタ制御装置２０９０に送られる。
【００３３】
自動原稿給紙装置１００３は、読取装置１００２の上側（＋Ｚ側）に配置され、セットされた原稿を読取装置１００２に向けて送り出す。この自動原稿給紙装置１００３は、一般にＡＤＦ（Ａｕｔｏ  Ｄｏｃｕｍｅｎｔ  Ｆｅｅｄｅｒ）と呼ばれている。
【００３４】
先ず、本体装置１００１の詳細について説明する。
【００３５】
本体装置１００１は、光走査装置２０１０、４つの感光体ドラム（２０３０ａ、２０３０ｂ、２０３０ｃ、２０３０ｄ）、４つのクリーニングユニット（２０３１ａ、２０３１ｂ、２０３１ｃ、２０３１ｄ）、４つの帯電装置（２０３２ａ、２０３２ｂ、２０３２ｃ、２０３２ｄ）、４つの現像装置（２０３３ａ、２０３３ｂ、２０３３ｃ、２０３３ｄ）、転写ベルト２０４０、転写ローラ２０４２、定着装置２０５０、４つのピックアップローラ２０５４、４つのフィードローラ２０５５、レジストローラ２０５６、排紙ローラ２０５８、４つの給紙トレイ２０６０、排紙トレイ２０７０、通信制御装置２０８０、及び上記各部を統括的に制御するプリンタ制御装置２０９０などを備えている。
【００３６】
通信制御装置２０８０は、ネットワークなどを介した上位装置（例えばパソコン）との双方向の通信を制御する。
【００３７】
プリンタ制御装置２０９０は、ＣＰＵ、該ＣＰＵにて解読可能なコードで記述されたプログラム及び該プログラムを実行する際に用いられる各種データが格納されているＲＯＭ、作業用のメモリであるＲＡＭ、アナログデータをデジタルデータに変換するＡＤ変換回路などを有している。そして、プリンタ制御装置２０９０は、読取装置１００２からの画像情報あるいは通信制御装置２０８０を介した画像情報を光走査装置２０１０に出力する。
【００３８】
感光体ドラム２０３０ａ、帯電装置２０３２ａ、現像装置２０３３ａ、及びクリーニングユニット２０３１ａは、組として使用され、ブラックの画像を形成する画像形成ステーション（以下では、便宜上「Ｋステーション」ともいう）を構成する。
【００３９】
感光体ドラム２０３０ｂ、帯電装置２０３２ｂ、現像装置２０３３ｂ、及びクリーニングユニット２０３１ｂは、組として使用され、シアンの画像を形成する画像形成ステーション（以下では、便宜上「Ｃステーション」ともいう）を構成する。
【００４０】
感光体ドラム２０３０ｃ、帯電装置２０３２ｃ、現像装置２０３３ｃ、及びクリーニングユニット２０３１ｃは、組として使用され、マゼンタの画像を形成する画像形成ステーション（以下では、便宜上「Ｍステーション」ともいう）を構成する。
【００４１】
感光体ドラム２０３０ｄ、帯電装置２０３２ｄ、現像装置２０３３ｄ、及びクリーニングユニット２０３１ｄは、組として使用され、イエローの画像を形成する画像形成ステーション（以下では、便宜上「Ｙステーション」ともいう）を構成する。
【００４２】
各感光体ドラムはいずれも、その表面に感光層が形成されている。すなわち、各感光体ドラムの表面がそれぞれ被走査面である。
【００４３】
各帯電装置は、対応する感光体ドラムの表面をそれぞれ均一に帯電させる。
【００４４】
光走査装置２０１０は、プリンタ制御装置２０９０からの画像情報（ブラック画像情報、シアン画像情報、マゼンタ画像情報、イエロー画像情報）に基づいて変調された光束で、対応する感光体ドラムの表面を走査する。
【００４５】
これにより、各感光体ドラムの表面では、光が照射された部分だけ電荷が消失し、画像情報に対応した潜像が各感光体ドラムの表面にそれぞれ形成される。ここで形成された潜像は、感光体ドラムの回転に伴って対応する現像装置の方向に移動する。
【００４６】
各現像装置は、対応する感光体ドラムの表面に形成された潜像にトナーを付着させて顕像化させる。ここでトナーが付着した像（トナー画像）は、感光体ドラムの回転に伴って転写ベルト２０４０の方向に移動する。
【００４７】
イエロー、マゼンタ、シアン、ブラックの各トナー画像は、所定のタイミングで転写ベルト２０４０上に順次転写され、重ね合わされて多色のカラー画像が形成される。
【００４８】
各給紙トレイ２０６０には記録紙が格納されている。そして、各給紙トレイ２０６０の近傍にはそれぞれピックアップローラ２０５４が配置されている。
【００４９】
ユーザが記録紙を指定すると、該記録紙が格納されている給紙トレイ２０６０が、プリンタ制御装置２０９０によって選択される。
【００５０】
選択された給紙トレイ２０６０に対応するピックアップローラ２０５４は、記録紙を該給紙トレイ２０６０から１枚ずつ取り出し、フィードローラ２０５５を介してレジストローラ２０５６に搬送する。該レジストローラ２０５６は、所定のタイミングで記録紙を転写ベルト２０４０と転写ローラ２０４２との間隙に向けて送り出す。これにより、転写ベルト２０４０上のカラー画像が記録紙に転写される。ここで転写された記録紙は、定着装置２０５０に送られる。
【００５１】
定着装置２０５０では、熱と圧力とが記録紙に加えられ、これによってトナーが記録紙上に定着される。ここで定着された記録紙は、排紙ローラ２０５８を介して排紙トレイ２０７０に送られ、排紙トレイ２０７０上に順次スタックされる。
【００５２】
各クリーニングユニットは、対応する感光体ドラムの表面に残ったトナー（残留トナー）を除去する。残留トナーが除去された感光体ドラムの表面は、再度対応する帯電装置に対向する位置に戻る。
【００５３】
次に、読取装置１００２の詳細について説明する。
【００５４】
読取装置１００２は、一例として図３に示されるように、原稿が載置されるコンタクトガラス１１０の−Ｚ側に配置され、照明装置１０、３枚の反射ミラー（Ｍ１、Ｍ２、Ｍ３）、読み取りレンズ５０、ＣＣＤ６０などを有している。なお、３枚の反射ミラー（Ｍ１、Ｍ２、Ｍ３）と読み取りレンズ５０とＣＣＤ６０とからなる構成は、画像読取装置と呼ばれている。
【００５５】
コンタクトガラス１１０の＋Ｚ側の面上に原稿が載置される。そして、以下では、原稿の−Ｚ側の面を「原稿面」ともいう。また、コンタクトガラス１１０の＋Ｚ側の面を「読取面」ともいう。
【００５６】
照明装置１０と反射ミラーＭ１は、第１の走行機構Ｌ１によって、一体的にＸ軸方向に移動可能である。また、反射ミラーＭ２と反射ミラーＭ３は、第２の走行機構Ｌ２によって、一体的にＸ軸方向に移動可能である。
【００５７】
原稿を読み取る際には、照明装置１０と反射ミラーＭ１は速度Ｖで、反射ミラーＭ２と反射ミラーＭ３は速度Ｖ／２で移動し、原稿面全体を読み取る（図４参照）。
【００５８】
照明装置１０は、一例として図５に示されるように、複数のＬＥＤ素子１１、該複数のＬＥＤ素子１１が実装されている基板１２、導光板１３、及び反射ミラー１４などを有している。導光板１３及び基板１２は、板ばね３１及びねじ３２によってホルダ３３に固定されている。また、反射ミラー１４は、ホルダ３４に固定されている。なお、読取面における照明装置１０からの光が照射される領域は「照明領域」と呼ばれ、該照明領域の中央部は「読取領域」と呼ばれている。
【００５９】
複数のＬＥＤ素子１１は、一例として図６に示されるように、Ｙ軸方向に沿って１列に配置されている。なお、以下では、便宜上、各ＬＥＤ素子１１における光の射出方向を「ｃ方向」、基板１２の長手方向を「ａ方向」（Ｙ軸方向と同じ）、短手方向を「ｂ方向」として説明する。
【００６０】
各ＬＥＤ素子１１は、白色ＬＥＤ素子であり、一例として図７に示されるように、ＬＥＤチップ１００、該ＬＥＤチップ１００からの光によって蛍光を発する蛍光体１０２、パッケージ部材１０３、及び電極（図示省略）などから構成されている。ここでは、ＬＥＤチップ１００は、青色の光を射出するＬＥＤチップである。また、蛍光体１０２は、黄色の蛍光を発する蛍光体である。
【００６１】
図５に戻り、導光板１３は、Ｙ軸方向を長手方向とする板状部材であり、複数のＬＥＤ素子１１から射出された光の光路上に配置されている（図８参照）。そして、導光板１３は、複数のＬＥＤ素子１１から射出された光が一側の端面に入射し、他側の端面からコンタクトガラス１１０に向けて射出される。
【００６２】
導光板１３は、次の（１）式及び（２）式が満足されるように設定されている。
【００６３】
β＝ａｓｉｎ（ｎ×ｓｉｎγ）  ……（１）
【００６４】
Ｃ＝ａ／（２×ｔａｎγ）＋（ａ／２−Ｌ×ｔａｎβ）／ｔａｎγ  ……（２）
【００６５】
ここでは、ＬＥＤ素子１１から射出された光線のうち平均色（白色）となる光線（「光線Ｐ」という）と導光板１３の光軸とのなす角度をγ、導光板１３の射出面の法線と光線Ｐのなす角をβ、導光板１３の屈折率をｎ、導光板１３の射出面から照明領域までの距離をＬ、導光板１３の入射面の厚さをａ、導光板１３の光軸方向の長さをＣとしている。
【００６６】
図９（Ａ）には、導光板１３における移動方向に対応する方向（ｂ方向）の＋側の反射面で反射された光線Ｐの光路が示されている。この場合、光線Ｐは、１回反射して照明領域の中心に向かう。そして、導光板１３における移動方向に対応する方向の＋側の反射面で反射された光が照明領域を照明したとき、中心より＋側は青色の色味となり、−側は黄色の色味となる（図９（Ｂ）参照）。
【００６７】
図１０（Ａ）には、導光板１３における移動方向に対応する方向の−側の反射面で反射された光線Ｐの光路が示されている。この場合、光線Ｐは、１回反射して照明領域の中心に向かう。そして、導光板１３における移動方向に対応する方向の−側の反射面で反射された光が照明領域を照明したとき、中心より＋側は黄色の色味となり、−側は青色の色味となる（図１０（Ｂ）参照）。
【００６８】
そこで、導光板１３における移動方向に対応する方向の＋側の反射面で反射された光と、導光板１３における移動方向に対応する方向の−側の反射面で反射された光とが照明領域を照明したとき、照明領域は全体的に白色となる（図１１参照）。
【００６９】
本実施形態では、一例として、γ＝１８°、ｎ＝１．４、Ｌ＝１０ｍｍ、ａ＝１０ｍｍ、Ｃ＝１５．２１ｍｍとしている。なお、実際には、導光板１３からの光は原稿面に対して斜めに照射されることになるが、中央部が白色光になるから色ずれは生じない。
【００７０】
図５に戻り、反射ミラー１４は、導光板１３の−Ｘ側に配置され、導光板１３から射出された光の一部を照明領域に向けて反射する。
【００７１】
以上説明したように、本実施形態に係る照明装置１０によると、複数のＬＥＤ素子１１、基板１２、導光板１３及び反射ミラー１４などを有している。そして、複数のＬＥＤ素子１１は、照明装置１０の移動方向に直交する方向に沿って１列に配置されている。
【００７２】
この照明装置１０は、基板１２に実装されている複数のＬＥＤ素子１１、導光板１３、及び反射ミラー１４などを有している。
【００７３】
各ＬＥＤ素子１１は、青色の光を射出するＬＥＤチップ１００、及び該ＬＥＤチップ１００から射出される光によって黄色の蛍光を発する蛍光体１０２を有している。
【００７４】
そして、導光板１３は、反射面を有し、複数のＬＥＤ素子１１から射出された光線のうち平均色（白色）の光線が、該反射面で１回反射され、射出面から射出された後、照明領域の中央に到達するような形状とされている。
【００７５】
この場合は、照明領域における色ずれを抑制することができる。
【００７６】
そこで、読取装置１００２は、照明装置１０を備えているため、精度良く原稿の画像を読み取ることができる。そして、複合機２０００は、読取装置１００２を備えているため、その結果として高品質の画像を形成することができる。
【００７７】
なお、上記実施形態では、導光板１３が平行平板の場合について説明したが、これに限定するものではなく、一例として図１２に示される導光板１３Ａを用いても良い。
【００７８】
この導光板１３Ａは、入射面の厚さより射出面の厚さを大きくしたものである。この場合も、一例として図１３（Ａ）及び図１３（Ｂ）に示されるように、光線Ｐが前記導光板１３と同様に照明領域のほぼ中心に向かうようにすれば、色ずれは生じない。具体例として、γ＝１８°、ｎ＝１．４、Ｌ＝１０ｍｍ、ａ１＝３ｍｍ、ａ２＝４．５ｍｍ、Ｃ＝８．１７ｍｍである。
【００７９】
また、上記実施形態において、前記導光板１３に代えて、一例として図１４に示される光反射部材１３Ｂを用いても良い。この光反射部材１３Ｂは、２枚のミラー（Ｂ１、Ｂ２）を有している。この場合も、一例として図１５（Ａ）及び図１５（Ｂ）に示されるように、光線Ｐが前記導光板１３と同様に照明領域のほぼ中心に向かうようにすれば、色ずれは生じない。
【産業上の利用可能性】
【００８０】
以上説明したように、本発明の照明装置によれば、色ずれを抑制するのに適している。また、本発明の画像読取装置によれば、精度良く画像を読み取るのに適している。また、本発明の画像形成装置によれば、高品質の画像を形成するのに適している。
【符号の説明】
【００８１】
１０…照明装置、１１…ＬＥＤ素子、１２…基板、１３…導光板（導光部材）、１３Ａ…導光板（導光部材）、１３Ｂ…光反射部材（導光部材）、５０…読み取りレンズ（読取光学系の一部）、６０…ＣＣＤ（撮像素子）、１００…ＬＥＤチップ、１０２…蛍光体、１０３…パッケージ部材、１１０…コンタクトガラス、１００１…本体装置、１００２…読取装置（原稿読取装置）、２０００…複合機（画像形成装置）、Ｌ１…第１の走行機構、Ｌ２…第２の走行機構、Ｍ１〜Ｍ３…反射ミラー（読取光学系の一部）。
【先行技術文献】
【特許文献】
【００８２】
【特許文献１】特開２００９−１７５３２０号公報
【特許文献２】特開平４−１６８４３４号公報
【特許文献３】特開２０１０−１３６３４８号公報
【図１】
2012114878.tif 000003
【図２】
2012114878.tif 000004
【図３】
2012114878.tif 000005
【図４】
2012114878.tif 000006
【図５】
2012114878.tif 000007
【図６】
2012114878.tif 000008
【図７】
2012114878.tif 000009
【図８】
2012114878.tif 000010
【図１１】
2012114878.tif 000011
【図１２】
2012114878.tif 000012
【図１４】
2012114878.tif 000013
【図１６】
2012114878.tif 000014
【図１７】
2012114878.tif 000015
【図２１】
2012114878.tif 000016
【図９】
2012114878.tif 000017
【図１０】
2012114878.tif 000018
【図１３】
2012114878.tif 000019
【図１５】
2012114878.tif 000020
【図１８】
2012114878.tif 000021
【図１９】
2012114878.tif 000022
【図２０】
2012114878.tif 000023